(57)【要約】【課題】  周辺光量落ち補正を行わない画像により露出を決定し、画像取り込み後に周辺光量落ちを補正すると画像の露出がオーバーとなる。このため周辺光量落ち補正を行った場合にも適正な露出の画像を得る手段を提案する。【解決手段】  周辺光量落ち補正を行う撮影条件の場合に、本露光以前の間引き画像またはＥＶＦ画像等の露出量決定に用いる画像に周辺光量落ち補正を行い、その画像にて絞り値、シャッタースピードを算出し露出を決定し画像保存用の本露光を行う。全画素呼び込みの本露光後の画像に周辺光量落ち補正を行いその画像を保存する。【選択図】  図１
2007129328.tif 000002
【特許請求の範囲】
【請求項１】
撮像画像の周辺光量落ちを電気的手段により補正する手段を有し、露出量決定画像に周辺光量落ち補正を行い周辺光量落ち補正された画像により露出量を算出する手段を有し、周辺光量落ち補正された画像から算出された露出量により画像記録用の画像を撮像することを特徴とする撮像装置。
【請求項２】
請求項１において、周辺光量落ちの補正値は、撮像レンズのズーム位置及びフォーカス位置および絞り値に対応した値を有することを特徴とする撮像装置。
【請求項３】
請求項１において、周辺光量落ち補正された画像から算出された露出量の調整は露出時間を調節して行うことを特徴とする撮像装置。
【請求項４】
請求項１において、周辺光量落ち補正された画像から算出された露出量の調整は絞り値を調節して行うことを特徴とする撮像装置。
【請求項５】
請求項１において、露出量決定画像は、撮像装置への入力画像を表示する電子式ファインダーの表示用の画像を用いることを特徴とする撮像装置。
【請求項６】
請求項１において、露出量決定画像は、撮像素子の出力画像の全画素から任意の画素数を間引いた画像を用いることを特徴とする撮像装置。
【発明の詳細な説明】
【技術分野】
【０００１】
本発明は、撮像装置の画質向上に関する。
【背景技術】
【０００２】
一般的に結像レンズは撮像画面中心から周辺にいくに従い結像する光量が低下する。また、結像レンズと撮像素子の組み合わせにより撮像素子の周辺部での取り込み光量の低下を招く場合がある。図４はこの周辺光量落ちを撮像された画像に電気的なゲインを与え補正する撮像装置の構成である。
【０００３】
被写体からの光線は結像レンズ１０１を通った後に撮像素子１０２に結像する。撮像素子からの出力はA/Dコンバータ１０３にてデジタル信号に変換され、フォーカス位置および露出量決定手段１０４にてフォーカス位置および露出量が決定され、フォーカス位置および露出量調整手段１０５においてフォーカス位置および、絞り値および露出時間による露出量が調整される。フォーカス位置および露出量が決定され後に撮像された画像は周辺光量落ちを補正する手段１０６にて周辺光量落ち補正が行われる。ここで、撮像レンズ１０１のズーム位置および絞り値およびフォーカス位置を検出する手段１１０により得られた情報はそれらの情報を元に周辺光量補正値を算出する手段１１２に入力される。周辺光量補正値を算出する手段１１２は、入力された情報を元に必要な補正データをズーム位置および絞り値およびフォーカス位置について記録する手段１１１より呼び込み、現在のズーム位置および絞り値およびフォーカス位置に対応した補正データを算出する。この補正データをデジタル化された撮像信号に周辺光量落ちを補正する手段１０６に入力し、撮影された画像の周辺光量は補正される。周辺光量落ちを補正する手段１０６からの出力は一旦記録手段１０８に収納された後にホワイトバランス等の画像処理手段１０９において画像処理がなされ、最終画像記録手段１１３に記録される。
【０００４】
ここで１０７はA/Dコンバータ１０３にてデジタル信号に変換された画像を表示する電子式ファインダーである。
【０００５】
つぎに、画像を撮像する手順について図５を用いて述べる。撮像装置に撮像開始の入力が行われると、被写体に対してオートフォーカスが行われ、合焦位置の画像に対して露出量を決定し、絞り値および露出時間を制御し適正な露出量を得る状態で撮像が行われ、撮像後に撮像時のズーム位置およびフォーカス位置および絞り値に対応した周辺光量落ち補正量で周辺光量落ち補正が行われ、画像処理手段により画像処理がなされ、最終画像記録手段に記録される。
【０００６】
従来例としては、例えば特許文献１と特許文献２をあげることが出来る。
【特許文献１】特開２００５−１５６７９３号公報
【特許文献２】特開平１１−２４２２７４号公報
【発明の開示】
【発明が解決しようとする課題】
【０００７】
しかしながら、撮像前の周辺光量落ち補正を行わない画像により露出を決定し、撮像後に周辺光量落ち補正を行い画像に電気的なゲインを加えてしまうと補正後の画像の露出量が適正な露出量より多くなってしまうことがあり、適正な露出量の画像が得られない場合がある。
【課題を解決するための手段】
【０００８】
本発明における実施例は、撮像画像取り込み前の露出量決定時に、撮像レンズのズーム位置および絞り値およびフォーカス位置に対応した周辺光量落ち補正を行った画像を用いて撮像画像に対する露出量を算出し、算出された露出量に基づき記録用画像の撮像を行う。
【発明の効果】
【０００９】
本発明によれば、電気的周辺光量落ち補正を行う撮像装置において、電気的に周辺光量落ち補正を行った場合にも、補正による撮像画面での露出量を適性にすることができるため、補正による露出量のばらつきのない良好な画像を得ることができる。
【発明を実施するための最良の形態】
【００１０】
図１に、本発明の構成図を示す。被写体からの光線は結像レンズ１０１を通った後に撮像素子１０２に結像する。撮像素子からの出力はA/Dコンバータ１０３にてデジタル信号に変換され、フォーカス位置および露出量決定手段１０４にてフォーカス位置および露出量が決定され、フォーカス位置および露出量調整手段１０５においてフォーカス位置および、絞り値および露出時間による露出量が調整される。ここで、撮像レンズ１０１のズーム位置および絞り値およびフォーカス位置を検出する手段１１０により得られた情報はそれらの情報を元に周辺光量補正値を算出する手段１１２に入力される。周辺光量補正値を算出する手段１１２は、入力された情報を元に必要な補正データをズーム位置および絞り値およびフォーカス位置について記録する手段１１１より呼び込み、現在のズーム位置および絞り値およびフォーカス位置に対応した補正データを算出する。この補正データをフォーカス位置および露出量決定手段１０４に入力し、露出決定用の画像の周辺光量は補正される。周辺光量が補正された露出決定用の画像により露出量が調整された後に撮像された画像に、周辺光量落ちを補正する手段１０６にて周辺光量落ち補正が行われる。ここで、撮像レンズ１０１のズーム位置および絞り値およびフォーカス位置を検出する手段１１０により得られた情報はそれらの情報を元に周辺光量補正値を算出する手段１１２に入力される。周辺光量補正値を算出する手段１１２は、入力された情報を元に必要な補正データをズーム位置および絞り値およびフォーカス位置について記録する手段１１１より呼び込み、現在のズーム位置および絞り値およびフォーカス位置に対応した補正データを算出する。この補正データを周辺光量落ちを補正する手段１０６に入力し、撮影された画像の周辺光量は補正される。周辺光量落ちを補正する手段１０６からの出力は一旦記録手段１０８に収納された後にホワイトバランス等の画像処理手段１０９において画像処理がなされ、最終画像記録手段１１３に記録される。
【００１１】
ここで１０７はA/Dコンバータ１０３にてデジタル信号に変換された画像を表示する電子式ファインダーである。
【００１２】
つぎに、画像を撮像する手順について図２を用いて述べる。
【００１３】
撮像装置に撮像開始の入力が行われると、被写体に対してオートフォーカスが行われ、フォーカス位置が被写体に対して合焦位置となるように調整される。この合焦位置の画像を露出決定用の画像として取り込む。このとき、撮像レンズのズーム位置およびフォーカス位置および絞り値を検出し、ズーム位置およびフォーカス位置および絞り値に対応した周辺光量落ち補正量を算出する。算出された周辺光量落ち補正量により、露出決定用の画像の周辺光量落ちを補正した後に、画像記録のための画像取り込み時の露出時間を算出する。この算出された露出時間で画像記録のための画像取り込みが行われる。この画像記録のための画像に対してズーム位置およびフォーカス位置および絞り値に対応した周辺光量落ち補正を行った後に、画像処理手段によりホワイトバランス等の画像処理がなされ、最終画像記録手段に記録される。ここで、露出決定用の画像は、記録される全画素による画像、または記録される全画素から複数の画素を間引いた画像、または画像を表示する電子式ファインダー用の画像のいずれを用いても良い。
【００１４】
つぎに、露出時間があらかじめ決められた場合の画像を撮像する手順について図３を用いて述べる。
【００１５】
撮像装置に撮像開始の入力が行われると、被写体に対してオートフォーカスが行われ、フォーカス位置が被写体に対して合焦位置となるように調整される。この合焦位置の画像を露出決定用の画像として取り込む。このとき、撮像レンズのズーム位置およびフォーカス位置および絞り値を検出し、ズーム位置およびフォーカス位置および絞り値に対応した周辺光量落ち補正量を算出する。算出された周辺光量落ち補正量により、露出決定用の画像の周辺光量落ちを補正した後に、画像記録のための画像取り込み時の絞り値を算出する。この算出された絞り値に絞り値を調整し、再度、露出決定用の画像を取り込み、ズーム位置およびフォーカス位置および絞り値に対応した周辺光量落ち補正量を算出し、露出決定用の画像の周辺光量落ちを補正を行い、適正な露出量であった場合には画像記録のための画像取り込みが行われる。この画像記録のための画像に対してズーム位置およびフォーカス位置および絞り値に対応した周辺光量落ち補正を行った後に、画像処理手段によりホワイトバランス等の画像処理がなされ、最終画像記録手段に記録される。ここで、露出決定用の画像は、記録される全画素による画像、または記録される全画素から複数の画素を間引いた画像、または画像を表示する電子式ファインダー用の画像のいずれを用いても良い。
【図面の簡単な説明】
【００１６】
【図１】本発明の構成図
【図２】本発明の周辺光量落ち補正の手順を示す図
【図３】本発明の周辺光量落ち補正の手順を示す図
【図４】従来の周辺光量落ち補正装置の構成図
【図５】従来の周辺光量落ち補正の手順を示す図
【符号の説明】
【００１７】
101  撮像レンズ
102  撮像素子
103  A/Dコンバータ
104  フォーカス位置および露出量決定手段
105  フォーカス位置および露出量調整手段
106  周辺光量落ちを補正する手段
107  電気式ファインダー
108  画像を一時保管する手段
109  画像処理手段
110  ズーム位置および絞り値およびフォーカス位置を検出する手段
111  周辺光量補正データを保管する手段
112  周辺光量補正値を算出する手段
113  最終画像を記録する手段
【図１】
2007129328.tif 000003
【図２】
2007129328.tif 000004
【図３】
2007129328.tif 000005
【図４】
2007129328.tif 000006
【図５】
2007129328.tif 000007